(57)【要約】【課題】水道管に洗管ピグの挿入管や排出管を連結することなく、水道管に洗管ピグを挿入し、また水道管から洗管ピグを取り出しして、簡単かつ容易に、しかも能率よく水道管を洗浄する。洗管ピグで水道管の内面を効率よく洗浄しながら、水道管から細い分岐管にスムーズに移送して、しかも詰まらないように取り出しする。【解決手段】水道管の洗浄方法は、水道管１に連結している送り込み側の消火栓と空気管と泥吐き部のいずれかからなる分岐管２から洗管ピグ３を挿入し、分岐管２に供給する加圧流体で洗管ピグ３を分岐管２から水道管１内に移送し、さらに、加圧流体でもって水道管１に洗管ピグ３を圧送して、洗管ピグ３でもって水道管１の内面を擦り洗いし、水道管１を擦り洗いした洗管ピグ３を、水道管１から取り出し側の分岐管２に移送して、この取り出し側の消火栓と空気管と泥吐き部のいずれかからなる分岐管２から外部に取り出す。【選択図】図３
2008025283.tif 000002
【特許請求の範囲】
【請求項１】
水道管(1)に連結している送り込み側の消火栓と空気管と泥吐き部のいずれかからなる分岐管(2)から弾性変形する洗管ピグ(3)を挿入し、挿入された洗管ピグ(3)を圧送する加圧流体を分岐管(2)に供給して、この加圧流体で洗管ピグ(3)を分岐管(2)から水道管(1)内に移送し、さらに加圧流体でもって水道管(1)に洗管ピグ(3)を圧送して、洗管ピグ(3)でもって水道管(1)の内面を擦り洗いし、水道管(1)を擦り洗いした洗管ピグ(3)を、水道管(1)から取り出し側の分岐管(2)に移送して、この取り出し側の消火栓と空気管と泥吐き部のいずれかからなる分岐管(2)から外部に取り出すことを特徴とする水道管の洗浄方法。
【請求項２】
送り込み側の分岐管(2)に挿入する洗管ピグ(3)に、本体ピグ(4)の先端に折曲部(6)を介して本体ピグ(4)よりも小さい外形のガイドピグ(5)を連結したものを使用する請求項１に記載される水道管の洗浄方法。
【請求項３】
送り込み側の分岐管(2)に挿入する洗管ピグ(3)に、本体ピグ(4)の先端にロッド状又は紐状の折曲部(6)を介してガイドピグ(5)を連結している洗管ピグ(3)を使用する請求項２に記載される水道管の洗浄方法。
【請求項４】
送り込み側の分岐管(2)に挿入する洗管ピグ(3)に、本体ピグ(4)の先端に折曲部(6)を介して、外径を８０ｍｍよりも太い円柱状または球形状のガイドピグ(5)を連結している洗管ピグ(3)を使用する請求項２に記載される水道管の洗浄方法。
【請求項５】
地中に埋設している水道管(1)内を圧送されて、水道管(1)の内面を擦り洗いする洗管ピグであって、
本体ピグ(4)と、この本体ピグ(4)の先端に、折曲部(6)を介して連結している本体ピグ(4)よりも小さい外形のガイドピグ(5)とを備えることを特徴とする水道管の洗管ピグ。
【請求項６】
本体ピグ(4)が、弾性変形材を円柱状または球形状に加工した弾性柱の表面に研磨層(7)を設けてなる請求項５に記載される水道管の洗管ピグ。
【請求項７】
折曲部(6)が本体ピグ(4)とガイドピグ(5)とを連結する変形できるロッド状又は紐状である請求項５に記載される水道管の洗管ピグ。
【発明の詳細な説明】
【技術分野】
【０００１】
本発明は、地中に埋設している水道管に洗管ピグを圧送して、洗管ピグでもって水道管の内面を擦り洗いする洗浄方法と洗管ピグに関する。
【背景技術】
【０００２】
地中の水道管に洗管ピグを挿入し、これを水道水で圧送して水道管の内面を擦り洗いする方法とこれに使用する洗管ピグは開発されている。（特許文献１ないし４参照）
【特許文献１】特開平１０−３１４６８９号公報
【特許文献２】特開平１１−２５３９０２号公報
【特許文献３】特開平９−２６８６４２号公報
【特許文献４】特開平９−２６８６４３号公報
【発明の開示】
【発明が解決しようとする課題】
【０００３】
これらの特許文献に記載される洗浄方法は、洗管ピグを水道管内に圧送して、洗管ピグの表面で水道管の内面を擦って洗浄する。この方法は、簡単に地中の水道管を洗浄できる。ただ、この洗浄方法は、水道管に洗管ピグを入れるために、水道管に挿入管と排出管を連結している。挿入管と排出管を連結するために、地面を掘り起こして水道管を地上に表出し、この状態で水道管に挿入管と排出管を連結する必要があり、この工程に非常に手間がかかる欠点がある。
【０００４】
本発明の第１の目的はこの欠点を解決することにある。すなわち、水道管に洗管ピグの挿入管や排出管を連結することなく、水道管に洗管ピグを挿入し、また水道管から洗管ピグを取り出しして、極めて簡単かつ容易に、しかも能率よく水道管を洗浄する水道管の洗浄方法と、この方法に使用する洗管ピグを提供することにある。
【０００５】
以上の目的を達成するために、水道管にすでに連結している消火栓や空気管を利用して洗管ピグを水道管に挿入し、また水道管から洗管ピグを取り出す方法が考えられる。この方法は、ウレタンフォーム等の表面に研磨層を設けた弾性変形できる洗管ピグを使用して実現できる。ただ、この方法において、洗管ピグを出し入れする消火栓又は空気管は、内径が特定されている。たとえば、消火栓の内径は、ほとんどが７５ｍｍであって、水道管よりも細い。このため、水道管にすでに連結している消火栓又は空気管からなる分岐管を洗管ピグの出し入れに使用する方法は、細い分岐管から太い水道管に洗管ピグを入れ、水道管を洗浄した後、洗管ピグを太い水道管から細い分岐管に移送する必要がある。洗管ピグは、細い分岐管から太い水道管にはスムーズに移動する。しかしながら、太い水道管から細い分岐管に洗管ピグを移送するのは極めて難しい。このため、洗管ピグは、水道管には移送できても、水道管から細い分岐管には移送できず、この部分で詰まって簡単に取り出しできない。
【０００６】
とくに、水道管の内面を洗管ピグで効率よく擦り洗いするために、洗管ピグの表面を水道管の内面に要求される圧力で押圧しながら圧送する必要がある。洗管ピグの圧力が弱いと、効率よく擦り洗いできなくなるからである。このことを実現するために、弾性変形できる洗管ピグの外径を水道管よりも太くしている。また、弾性変形する洗管ピグを柔軟にすると、水道管の内面を押圧する圧力が低下して効率よく擦り洗いできなくなる。したがって、洗管ピグには水道管よりも太く、しかも強い弾性で水道管の内面に押圧する弾性材、いいかえると柔軟でない弾性材をする必要がある。この状態の洗管ピグは、太い水道管から細い分岐管への移送をさらに難しくする。洗管ピグを柔軟にして水道管から細い分岐管に移送しやすくできるが、擦り洗いする能力が低下する。すなわち、洗管ピグが水道管を洗浄する能力と、水道管から分岐管に移送できることは互いに相反する特性となり、両方を満足することはできない。このため、水道管にすでに連結している消火栓や空気管を利用して洗管ピグを水道管に挿入し、また水道管から洗管ピグを取り出して水道管を洗浄する方法は、実現できていないのが実状である。
【０００７】
本発明の第２の目的はこのことを実現すること、すなわち洗管ピグで水道管の内面を効率よく洗浄しながら、水道管から細い分岐管にスムーズに移送して、簡単に能率よく、しかも詰まらないように取り出しできる水道管の洗浄方法とこれに使用する洗管ピグを提供することにある。
【課題を解決するための手段】
【０００８】
本発明の水道管の洗浄方法は、前述の目的を達成するために以下の構成を備える。
水道管の洗浄方法は、水道管１に連結している送り込み側の消火栓と空気管と泥吐き部のいずれかからなる分岐管２から弾性変形する洗管ピグ３を挿入し、挿入された洗管ピグ３を圧送する加圧流体を分岐管２に供給して、この加圧流体で洗管ピグ３を分岐管２から水道管１内に移送する。さらに、水道管の洗浄方法は、加圧流体でもって水道管１に洗管ピグ３を圧送して、洗管ピグ３でもって水道管１の内面を擦り洗いし、水道管１を擦り洗いした洗管ピグ３を、水道管１から取り出し側の分岐管２に移送して、この取り出し側の消火栓と空気管と泥吐き部のいずれかからなる分岐管２から外部に取り出す。
【０００９】
本発明の水道管の洗浄方法は、送り込み側の分岐管２に挿入する洗管ピグ３として、本体ピグ４の先端に折曲部６を介して本体ピグ４よりも小さい外形のガイドピグ５を連結したものを使用することができる。さらに、本発明の水道管の洗浄方法は、本体ピグ４の先端にロッド状又は紐状の折曲部６を介してガイドピグ５を連結している洗管ピグ３を使用することができる。また、本発明の水道管の洗浄方法は、本体ピグ４の先端に折曲部６を介して、外径を８０ｍｍよりも太い円柱状または球形状のガイドピグ５を連結している洗管ピグ３を使用することができる。
【００１０】
本発明の洗管ピグは、前述の目的を達成するために以下の構成を備える。
洗管ピグは、地中に埋設している水道管１内を圧送されて、水道管１の内面を擦り洗いする。洗管ピグは、本体ピグ４と、この本体ピグ４の先端に、折曲部６を介して連結している本体ピグ４よりも小さい外形のガイドピグ５とを備える。
【００１１】
本発明の洗管ピグは、本体ピグ４が、弾性変形材を円柱状または球形状に加工した弾性柱の表面に研磨層７を設けることができる。本発明の洗管ピグ３は、折曲部６が本体ピグ４とガイドピグ５とを連結する変形できるロッド状又は紐状とすることができる。
【発明の効果】
【００１２】
本発明の水道管の洗浄方法は、水道管に洗管ピグの挿入管や排出管を連結することなく、水道管に洗管ピグを挿入し、また水道管から洗管ピグを取り出しして、極めて簡単かつ容易に、しかも能率よく水道管を洗浄できる特長がある。それは、本発明の水道管の洗浄方法が、水道管に連結している送り込み側の消火栓と空気管と泥吐き部のいずれかからなる分岐管から弾性変形する洗管ピグを挿入し、挿入された洗管ピグを加圧流体で分岐管から水道管内に移送して、洗管ピグで水道管の内面を擦り洗いすると共に、水道管を擦り洗いした洗管ピグを、水道管から取り出し側の分岐管に移送して、消火栓と空気管と泥吐き部のいずれかからなる分岐管から外部に取り出すからである。
【００１３】
本発明の洗浄方法は、水道管にすでに連結している消火栓と空気管と泥吐き部のいずれかからなる分岐管を利用して洗管ピグを水道管に挿入し、また水道管から洗管ピグを取り出しするので、簡単かつ容易に、しかも能率良く水道管を洗浄できる。さらに、本発明の洗浄方法は、従来のように、地中に埋まった水道管を掘り起こして水道管を表出させた後、水道管に洗管ピグの挿入管や排出管を連結する必要がないので、地中に埋められた水道管にダメージを与えることなく水道管を洗浄できる特長もある。
【００１４】
さらに、本発明の請求項２の洗浄方法と請求項５の洗管ピグは、水道管の内面を効率よく洗浄しながら、水道管から細い分岐管にスムーズに洗管ピグを移送して、簡単に能率よく、しかも詰まらないように取り出しできる特長がある。それは、本発明の洗管ピグが、本体ピグの先端に、折曲部を介して本体ピグよりも小さい外形のガイドピグを連結しており、本発明の請求項２の洗浄方法が、この洗管ピグを使用して水道管を洗浄するからである。この構造の洗管ピグは、水道管から分岐管に移送する状態において、細い分岐管にガイドピグがあって、本体ピグが水道管にある状態で、分岐管のガイドピグを加圧流体で圧送させて、折曲部を介して水道管内の本体ピグを引っ張って分岐管に移送できる。したがって、水道管から細い分岐管にスムーズに洗浄ピグを移送させて効率よく洗浄できる。
【００１５】
さらに、本発明の請求項３の洗浄方法と請求項７の洗管ピグは、本体ピグとガイドピグとを連結する折曲部を、変形できるロッド状又は紐状としているので、細長いロッド状または紐状の折曲部を変形させて、ガイドピグを水道管から分岐管にスムーズに移送できる特長がある。
【発明を実施するための最良の形態】
【００１６】
以下、本発明の実施例を図面に基づいて説明する。ただし、以下に示す実施例は、本発明の技術思想を具体化するための水道管の洗浄方法とこれに使用する洗管ピグを例示するものであって、本発明は洗浄方法と洗管ピグを以下に特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１に示すように、地中に埋設している水道管１は、消火栓と空気管と泥吐き部のいずれかからなる分岐管２を所定の間隔で連結している。これらの分岐管２は、先端を地上に設けている。本発明の水道管の洗浄方法は、水道管１に連結しているこれらの分岐管２を利用して、洗管ピグ３を分岐管２から水道管１に入れ、また水道管１を洗浄した洗管ピグ３を水道管１から外部に取り出す。これらの分岐管２は、先端を地面から表出させているので、ここから洗管ピグ３を水道管１に入れることによって、地面を掘り起こすことなく地中に埋設する水道管１に洗管ピグ３を入れることができ、また地中の水道管１から洗管ピグ３を外部に取り出しできる。水道管１に入れられた洗管ピグ３は、加圧流体で圧送されて水道管１の内部を移動する。移動する洗管ピグ３は、表面で水道管１の内面を擦り、水道管１の内面に付着する汚れや異物、あるいは錆等を除去して綺麗に洗浄する。
【００１９】
水道管１の特定の領域を洗管ピグ３で洗浄するとき、水道管１に洗管ピグ３を入れる分岐管２の外側と、水道管１から洗管ピグ３を取り出す分岐管２の外側を仕切弁８で閉塞する。一対の仕切弁８で水道管１の特定の領域を閉塞する状態で、図２に示すように、送り込み側の分岐管２に洗管ピグ３を入れ、この洗管ピグ３の背面に加圧流体を供給して、洗管ピグ３を分岐管２から水道管１に移送し、さらに水道管１の内部を移動させる。水道管１を洗浄した洗管ピグ３は、図３に示すように、続いて供給される加圧流体で、水道管１から分岐管２に圧送され、この分岐管２から外部に排出される。
【００２０】
加圧流体で水道管１を圧送される洗管ピグ３は、表面で水道管１の内面を擦り洗いしながら移動する。汚れの甚だしい水道管１は、洗管ピグ３を水道管１内に複数回移送する。繰り返し水道管１の内部に圧送される洗管ピグ３は、通過する毎に水道管１の内面を擦り洗いして綺麗にする。したがって、洗管ピグ３を水道管１に通過させる回数を多くして、水道管１の内面をより綺麗に洗浄できる。
【００２１】
洗管ピグ３は、水道管１の内面に押圧される状態で移動して、水道管１の内面を綺麗に擦り洗いする。洗管ピグ３が水道管１の内面を押圧する力が弱くなると、能率よく擦り洗いできなくなる。したがって、洗管ピグ３は、弾性変形できる材料を水道管１の内径よりも太く加工して製作される。洗管ピグ３の外形と弾性は、水道管１内を圧送して移送でき、かつ水道管１の内面を所定の圧力で押圧して綺麗に擦り洗いできるように製作される。この洗管ピグ３は、水道管１の内部を圧送できるが、水道管１から細い分岐管２に移送するのが難しい。さらに分岐管２は、Ｔ字状のチーズ９を介して水道管１に連結されるので、水道管１から分岐管２に移送される洗管ピグ３は、水道管１と分岐管２の境界で移送方向を９０度変更する必要があり、このことが、洗管ピグ３の移送を難しくする。
【００２２】
図４と図５は、太い水道管１から細い分岐管２に移送できる独特の構造の洗管ピグ３を示す。この図の洗管ピグ３は、本体ピグ４と、この本体ピグ４の先端に、折曲部６を介して連結している本体ピグ４よりも小さい外形のガイドピグ５とを備える。
【００２３】
本体ピグ４は、弾性変形材を円柱状に加工した弾性柱の表面に研磨層７を設けている。図の本体ピグ４は、先端部をテーパー状に細くしている。この本体ピグ４は、凹凸のある水道管１の内部をスムーズに引っかかることなく圧送される。また、分岐管２から水道管１に、また水道管１から分岐管２にスムーズに移送される。弾性柱の弾性変形材は、ウレタン樹脂やＥＶＡ等の軟質の合成樹脂発泡体である。合成樹脂発泡体は独立気泡を有する発泡体、または連続気泡を有する発泡体である。独立気泡を有する合成樹脂発泡体は、液体や気体の透過が少なく、加圧流体を透過させないので効率よく圧送できる。また、連続気泡の合成樹脂発泡体は、変形率を大きくして、水道管から細い分岐管にスムーズに移送できる。弾性変形材は、合成樹脂発泡体に代わって、ゴム状弾性体を気密に閉塞して、内部に気体を充填する構造等とすることもできる。
【００２４】
弾性柱の表面に設けている研磨層７は、繊維表面に研磨粒を付着した不織布が使用できる。この研磨層７は凹部のある水道管１の内面に面接触して、水道管１の内面を綺麗に擦り洗いできる。ただ、研磨層は、弾性柱の表面に研磨粒を付着して設けることもできる。また、本体ピグは、弾性柱を成形する合成樹脂発泡体に研磨粒を添加して発泡成形して、弾性柱の全体に研磨粒を分布することもできる。この本体ピグは、摩耗して小さくなっても、次々と表面に新しい研磨層ができるので、摩耗しても効果的に擦り洗いできる。
【００２５】
本体ピグ４は、水道管１の内面に圧送されて擦り洗いできるように、外径を水道管１の内径よりも大きく、たとえば水道管１の内径の１．２倍以上、さらに好ましくは１．５倍以上とする。本体ピグが太すぎると、水道管１内をスムーズに圧送できなくなり、また水道管１から細い分岐管２への移動が難しくなる。したがって、本体ピグ４の外径は、たとえば水道管１の内径の３倍以下、好ましくは２倍以下とする。本体ピグ４の水道管１に対する外径は、弾性柱に柔軟な弾性変形材を使用する場合は太くし、反対に硬い弾性変形材を使用する場合は細くする。また、水道管内の汚れの程度が甚だしく、実質的な内径が細くなっている水道管には、最初に細い本体ピグを圧送して擦り洗いし、次第に太い本体ピグを圧送して綺麗に擦り洗いする。したがって、本体ピグの外径は、弾性柱の弾性と水道管の内径と水道管の汚れの程度を考慮して最適な太さに設計される。
【００２６】
図４と図５の洗管ピグ３は、折曲部６を、可撓性のある軟質ウレタン樹脂等の軟質プラスチックをロッド状に成形したものとしている。プラスチックでロッド状に成形している折曲部６は、一端を本体ピグ４に埋設して連結し、他端をガイドピグ５に埋設して連結している。この折曲部６は、本体ピグ４とガイドピグ５に埋設する部分に複数の枝６Ａを突出するように設けている。この形状の折曲部６は、本体ピグ４とガイドピグ５に抜けないように連結できる。
【００２７】
ロッド状の折曲部６は、本体ピグ４とガイドピグ５とを離して連結すると共に、細長いロッド部を曲がりやすくする。この構造の洗管ピグ３は、ガイドピグ５と本体ピグ４を分岐管２から水道管１に、また水道管１から分岐管２にスムーズに移送できる。とくに、水道管１から細い分岐管２にスムーズにガイドピグ５と本体ピグ４を移送できる。それは、分岐管２にガイドピグ５があって、本体ピグ４が水道管１にある状態で、分岐管２のガイドピグ５が加圧流体に圧送されて、折曲部６を介して水道管１内の本体ピグ４を引っ張って分岐管２に移送できるからである。また、ガイドピグ５が水道管１から分岐管２に移送されるときに、細長いロッド状の折曲部６が曲がりやすく、ガイドピグ５を水道管１から分岐管２にスムーズに移送できる効果もある。さらに、ロッド状の折曲部６は、ガイドピグ５が分岐管２に、本体ピグ４が水道管１内にあるとき、本体ピグ４が加圧流体で圧送されてロッド状の折曲部６を後ろから押すことも、ガイドピグ５と本体ピグ４をスムーズに移送することに効果がある。
【００２８】
ただし、本発明は、洗管ピグの折曲部をロッド状には特定しない。折曲部は、たとえば、図示しないが、自由に変形できる紐状とすることもできる。紐状の折曲部は、ガイドピグが分岐管にある状態で、本体ピグを水道管に位置させる長さ、たとえば本体ピグの外径よりも長くする。折曲部を紐状とする洗管ピグは、加圧流体で圧送される分岐管のガイドピグが、紐状の折曲部を介して水道管の本体ピグを引っ張って、水道管から分岐管に移送させる。紐状の折曲部は、変形しやすいので、ガイドピグが水道管から分岐管に移送するときに曲がりやすく、ガイドピグを水道管から分岐管にスムーズに移送できる。
【００２９】
さらに、本発明の洗管ピグ３は、折曲部６を、本体ピグ４とガイドピグ５に一体構造とすることもできる。この洗管ピグ３は、図６に示すように、本体ピグ４と折曲部６とガイドピグ５の全体を合成樹脂発泡体で一体的に成形している。この構造は、安価に多量生産できる。この折曲部６は、本体ピグ４とガイドピグ５を成形する合成樹脂発泡で成形される。この洗管ピグ３は、折曲部６をガイドピグ５よりも細く成形して、曲がりやすくしている。細く成形される折曲部６は、表面に非発泡層を設けて引っ張り強度を強くできる。
【００３０】
ガイドピグ５は、水道管１を洗浄するためのものではなく、本体ピグ４を水道管１から分岐管２に引っ張り上げるために設けている。したがって、ガイドピグ５は、分岐管２内をスムーズに圧送される外径に製作される。水道管１に連結している分岐管２の内径は、ほとんどが７５ｍｍである。ガイドピグ５は、この内径の分岐管２に加圧流体で圧送されるように、外径を８０ｍｍ〜１５０ｍｍとする。ガイドピグ５は、本体ピグ４と同じように、分岐管２の内面に弾性的に押圧される状態で、加圧流体に圧送される。
【００３１】
ガイドピグ５は、本体ピグ４と同じように、弾性変形材を円柱状に加工して製作される。弾性変形材は、ウレタン樹脂やＥＶＡ等の軟質の合成樹脂発泡体である。弾性変形材は、合成樹脂発泡体に代わって、ゴム状弾性体を気密に閉塞して、内部に気体を充填する構造とすることもできる。図のガイドピグ４は円柱状としているが、ガイドピグは、必ずしも円柱状とする必要はなく、分岐管内をスムーズに圧送できる他の外形とすることもできる。ガイドピグは、図示しないが、球形状とすることもできる。球形状のガイドピグは、外径である直径を８０ｍｍ〜１５０ｍｍとすることができる。さらに、ガイドピグは、側面の一部にテーパー面を有する円柱状や円錐台形状とすることもできる。これらのガイドピグも、底面の外径を８０ｍｍ〜１５０ｍｍとして分岐管内をスムーズに圧送できる。
【００３２】
以上の洗管ピグ３は、以下のようにして地中に埋設している水道管１を洗浄する。
（１）洗管ピグ３で洗浄する領域の両側、すなわち送り込み側の分岐管２の外側と、取り出し側の分岐管２の外側に連結している仕切弁８を閉弁する。
（２）分岐管２と消火栓等を連結しているフランジの止ネジを外して、送り込み側と取り出し側の消火栓等を外して分岐管２の先端を開口する。
（３）図２に示すように、送り込み側の分岐管２の開口端に、両フランジ短管１０を介して三フランジＹ字管１１を連結する。さらに、図３に示すように、取り出し側の分岐管２の開口端に、両フランジ短管１０を介して三フランジＹ字管１１を連結する。
【００３３】
両フランジ短管１０は、テーパー管１０ａの両端にフランジ１０ｂを設けている。テーパー管１０ａは、分岐管２に向かって内径を次第に細くして、三フランジＹ字管１１から挿入される洗管ピグ３を分岐管２に無理なく案内する。したがって、このテーパー管１０ａは、下端の内径を分岐管２と同じとし、上端の内径を、三フランジＹ字管１１の下端と同じ内径としている。たとえば、図２の三フランジＹ字管１１は、下端の内径を１００ｍｍとするので、テーパー管１０ａは、上端の内径を１００ｍｍ、下端の内径を７５ｍｍとしている。三フランジＹ字管１１は、下端の内径を１００ｍｍ、上端と分岐端の内径を１２５ｍｍとしている。
【００３４】
送り込み側の三フランジＹ字管１１は、直管１１Ａの上端に開閉弁１２を介して、加圧流体源２４に連結するカップリング１３を連結している。分岐管１１Ｂの開口端にも開閉弁１４を介して加圧流体源２５に連結するカップリング１５を連結している。三フランジＹ字管１１には圧力計１６を連結して、加圧流体の圧力を検出するようにしている。
【００３５】
取り出し側の三フランジＹ字管１１は、直管１１Ａの上端に開閉弁１７を介してチーズ１８を連結し、チーズ１８の開口端に開閉弁１９、２０を介して、加圧流体源２６に連結するカップリング２１と、真空装置２７に連結するカップリング２２とを連結している。分岐管１１Ｂの開口端には仕切弁２３を連結している。この三フランジＹ字管１１も圧力計１６を連結して、加圧流体の圧力を検出するようにしている。
【００３６】
（４）送り込み側の三フランジＹ字管１１の分岐端を開口して洗管ピグ３を入れ、洗管ピグ３を押して直管１１Ａまで押し込んだ後、分岐端を閉塞する。図の三フランジＹ字管１１は、分岐端に開閉弁１４を介してカップリング１５を連結しているので、このカップリング１５を介して分岐端を加圧空気源２５のコンプレッサに連結し、コンプレッサから加圧空気を供給して、洗管ピグ３を直管１１Ａまで押し込むことができる。
【００３７】
（５）その後、送り込み側の三フランジＹ字管１１の上端に設けているカップリング１３を介して加圧流体源２４に連結し、加圧流体源２４から加圧流体を供給する。加圧流体源２４はコンプレッサである。コンプレッサである加圧流体源２４は、加圧流体として加圧空気を供給する。供給された加圧空気は、図２に示すように、洗管ピグ３を、三フランジＹ字管１１と両フランジ短管１０と分岐管２に通過させ、さらに分岐管２から水道管１に圧送する。水道管１は分岐管２よりも太いので、洗管ピグ３は分岐管２から水道管１に無理なく圧送される。このとき、分岐端のカップリング１５を加圧流体源２５であるコンプレッサに連結して、ここから三フランジＹ字管１１に加圧空気を供給することもできる。
【００３８】
（６）送り込み側の三フランジＹ字管１１から供給される加圧流体は、洗管ピグ３を送り込み側から取り出し側に圧送する。洗管ピグ３が取り出し側に圧送されると、送り込み側からの加圧空気の供給を停止する。その後、洗管ピグ３を取り出し側から送り込み側に逆方向に圧送して水道管１の内面をさらに擦り洗いする。このとき、取り出し側の三フランジＹ字管１１に連結しているカップリング１９を加圧流体源２６のコンプレッサに連結し、送り込み側の三フランジＹ字管１１に連結している開閉弁１４を開いて空気を排気できる状態とする。取り出し側から供給される加圧流体は、洗管ピグ３を取り出し側から送り込み側に逆方向に圧送する。この状態で、取り出し側から送り込み側に逆移送された洗管ピグ３は、その後、再び、送り込み側から取り出し側に圧送される。洗管ピグ３を、送り込み側と取り出し側に繰り返し往復させて、水道管１の内面はより綺麗に擦り洗いされる。水道管１の内面を往復するように圧送される洗管ピグ３は、本体ピグ４の表面に設けている研磨層７で水道管１の内面を擦り洗いする。
【００３９】
（７）水道管１の内面を往復して綺麗に擦り洗いした洗管ピグ３は、取り出し側の三フランジＹ字管１１から外部に取り出される。このとき、送り込み側から加圧流体を供給して、洗管ピグ３の先端に連結しているガイドピグ５を水道管１から分岐管２に移送する。ガイドピグ５は本体ピグ４よりも細く、また折曲部６を介して本体ピグ４に連結しているので、水道管１から分岐管２にスムーズに移送される。このとき、取り出し側の三フランジＹ字管１１に連結している真空装置２７で空気を強制的に排出して、ガイドピグ５を水道管１から分岐管２にスムーズに移送することができる。
【００４０】
（８）分岐管２に移送されたガイドピグ５は、送り込み側から供給される加圧空気に圧送されて、分岐管２を上昇する。このときも、取り出し側の三フランジＹ字管１１に連結している真空装置２７で空気を強制的に排気して、ガイドピグ５をスムーズに分岐管２に上昇できる。
（９）分岐管２を上昇するガイドピグ５は、折曲部６を介して本体ピグ４を引っ張って、水道管１から分岐管２に移送する。ガイドピグ５と本体ピグ４の両方が分岐管２に移送された洗管ピグ３は、加圧空気で分岐管２を上昇する方向に圧送され、取り出し側の分岐管２から外部に排出される。
【００４１】
以上のように加圧流体に加圧空気を使用すると、洗管ピグ３を速やかに分岐管２と水道管１に圧送できる。ただし、加圧流体には加圧液体、すなわち水を加圧して供給することもできる。この場合、加圧流体源は、水を加圧して排出できるタービンポンプ等の水ポンプである。
【００４２】
以上の実施例は、消火栓と空気管と泥吐き部のいずれかからなる分岐管２を使用して、洗管ピグ３を水道管１に入れ、また排出するので、水道管１に洗管ピグ３を出し入れする分岐管２を連結する必要がない。ただ、本発明の洗浄方法は、水道管に、これよりも細い分岐管を連結して、この連結された分岐管から洗管ピグを水道管に出し入れすることもできる。この場合、本発明の洗管ピグは、水道管よりも細い分岐管を利用して、水道管に出し入れできることから、水道管に細い分岐管を連結し、この分岐管から出し入れできる。したがって、水道管に分岐管を連結するとしても、細い分岐管を連結するので、分岐管の連結を簡単に経済的にできる。
【図面の簡単な説明】
【００４３】
【図１】本発明の一実施例にかかる水道管の洗浄方法を示す概略断面図である。
【図２】図１に示す水道管に連結している送り込み側の分岐管を示す拡大断面図である。
【図３】図１に示す水道管に連結している取り出し側の分岐管を示す拡大断面図である。
【図４】本発明の一実施例にかかる洗管ピグの斜視図である。
【図５】図４に示す洗管ピグの断面図である。
【図６】本発明の他の実施例にかかる洗管ピグの断面図である。
【符号の説明】
【００４４】
１…水道管
２…分岐管
３…洗管ピグ
４…本体ピグ
５…ガイドピグ
６…折曲部                ６Ａ…枝
７…研磨層
８…仕切弁
９…チーズ
１０…両フランジ短管      １０ａ…テーパー管
１０ｂ…フランジ
１１…三フランジＹ字管    １１Ａ…直管
１１Ｂ…分岐管
１２…開閉弁
１３…カップリング
１４…開閉弁
１５…カップリング
１６…圧力計
１７…開閉弁
１８…チーズ
１９…開閉弁
２０…開閉弁
２１…カップリング
２２…カップリング
２３…仕切弁
２４…加圧流体源
２５…加圧流体源
２６…加圧流体源
２７…真空装置
【図１】
2008025283.tif 000003
【図２】
2008025283.tif 000004
【図３】
2008025283.tif 000005
【図４】
2008025283.tif 000006
【図５】
2008025283.tif 000007
【図６】
2008025283.tif 000008